(57)【特許請求の範囲】
【請求項１】
化粧料の収納空間を有する容器本体と、この容器本体に合わさって収納空間を密閉する蓋体と、容器本体及び蓋体をつなぎ該蓋体を開閉可能に保持する枢支軸とからなる化粧料容器であって、
前記枢支軸の外表面の一部分に、接触他方部位を構成する樹脂とは異なる樹脂からなり、前記枢支軸の外表面の他部位と面一になる被覆層を被成し、
被覆層は、ポリオキシメチレン、ポリブチレンテレフタレート、ナイロンの中から選択される樹脂であることを特徴とする化粧料容器。
【請求項２】
前記枢支軸は、蓋体を任意の開閉位置で停止させるフリーストップ機能を有する請求項１記載の化粧料容器。
【発明の詳細な説明】
【技術分野】
【０００１】
本発明は、容器本体と蓋体とが蝶着された構造からなり、ファンデーションやアイシャドー、ハンドクリーム、頭髪用ジェル等の化粧料を入れるのに適した化粧料容器に関するものであり、容器本体と蓋体とをつなぐ蝶番に工夫を加えその部位の耐久性の改善を図るとともに蓋体の開閉時に生じがちな軋み音や摩耗粉の発生を効果的に回避しようとするものである。
【背景技術】
【０００２】
コンパクトに代表される化粧料容器は、内容物を収納する収納空間を有する容器本体と、この容器本体に蝶着される蓋体とを組み合わせた比較的簡易な構造からなっており、蓋体の蝶着には枢支軸を使用して蝶番部を構成しているのが普通であった。
【０００３】
ところで、従来のこの種の化粧料容器は、その構成部材がＡＳ、ＡＢＳ樹脂等の比較的硬質な樹脂にて構成されていることから、蝶番部での摺り合わせでもって蓋体を任意の開閉位置で停止させておくフリーストップ機能をもたせた場合に、蓋体の開閉に際して蝶番部から軋み音が発生するとともに、その部位で樹脂が削られて摩耗粉が出てしまう不具合があり、とくに摩耗の進行度合いが大きい場合にはフリーストップ機能が働かなくなり使い勝手が悪くなることが懸念された。
【０００４】
このような従来の問題に対処した化粧料容器としては、容器本体及び蓋体の両サイドにそれぞれ貫通孔を設け、この貫通孔に樹脂製の枢支軸（蝶番ピン）を挿通、嵌合させて締め込む構造のものが知られている（例えば特許文献１参照）。
【０００５】
【特許文献１】特開平１１−２８５４１１号公報
【発明の開示】
【発明が解決しようとする課題】
【０００６】
上記従来技術に係わる化粧料容器は、枢支軸の締め込みにより貫通孔における嵌合度合いを調整することができるものであって、これによれば、単なる簡易蝶番を有する化粧料容器と比較した場合に長期間にわたってフリーストップ機能をもたせることができる利点があるところ、該枢支軸は、嵌合部位において接触面積が大きくなることから蓋体の開閉に際して該嵌合部位での摩擦力が過大となり枢支軸の耐久性に悪影響を与えるおそれがあった。
【０００７】
さらに、枢支軸を構成する材料としては、オレフィン系樹脂（ＰＥ、ＰＰ等）等が使用されているけれども、かかる樹脂を適用した場合には捩れ変形に対して強度が不足する欠点があり、また、強度不足を補完すべくオレフィン系樹脂に代えてＰＥＴ樹脂を使用した場合には依然として軋み音が避けられない状況にあった。
【０００８】
本発明の課題は、容器本体と蓋体とをつなぐ蝶番部分の耐久性の改善を図るとともに蓋体の開閉に伴って生じていた軋み音や摩耗粉の発生を回避できる新規な化粧料容器を提案するところにある。
【課題を解決するための手段】
【０００９】
本発明は、化粧料の収納空間を有する容器本体と、この容器本体に合わさって収納空間を密閉する蓋体と、容器本体及び蓋体をつなぎ該蓋体を開閉可能に保持する枢支軸とからなる化粧料容器であって、
前記枢支軸の外表面の一部分に、接触他方部位を構成する樹脂とは異なる樹脂からなり、前記枢支軸の外表面の他部位と面一（つらいち）になる被覆層を被成し、
被覆層は、ポリオキシメチレン、ポリブチレンテレフタレート、ナイロンの中から選択される樹脂であることを特徴とする化粧料容器である。 
【００１０】
上記の構成になる化粧料容器において、前記枢支軸は、蓋体を任意の開閉位置で停止させるフリーストップ機能を有するものが好ましい。
【発明の効果】
【００１２】
枢支軸の摺動面又は該枢支軸に接触する部位の外表面に、接触他方部位を構成する樹脂とは異なる樹脂の被覆層を形成することにより構成部材の強度低下及び機能低下を伴うことなしに軋み音の発生を防止するとともに摩耗粉の発生を回避することが可能となる。
【発明を実施するための最良の形態】
【００１３】
以下、図面を用いて本発明をより具体的に説明する。
図１は本発明にしたがう化粧料容器をコンパクトの例にて示した実施の形態であり、図２は該コンパクトの蝶番部分における要部の拡大断面図である。
【００１４】
図における番号１は容器本体である。この容器本体１は化粧料の収納空間１ａ、１ｂと塗布具の収納空間１ｃを備えたものを例として示してある。
【００１５】
また、２は容器本体１に合わさって収納空間１ａ〜１ｃを密閉する蓋体、３は容器本体１及び蓋体２をつなぎ該蓋体２を開閉可能に保持する枢支軸である。
【００１６】
枢支軸３は容器本体１に設けられた貫通孔４及び蓋体２の貫通孔２ａを通して容器本体１に圧入されるものを例として示してあり、蓋体２の貫通孔２ａにおいて摺動する摺動面には摺動抵抗を軽減する被覆層３ａが設けられている。この被覆層３ａの形成部位は枢支軸３の外表面の全域あるいは一部分の何れでも可能であり、少なくとも摺動部位に設けられていればよい。また、この実施の形態で示したように枢支軸３の外表面の一部分にのみ設けられている場合には枢支軸３の外表面の他部位と面一に形成することも可能である。
【００１７】
ＰＯＭ（ポリオキシメチレン）、ＰＢＴ（ポリブチレンテレフタレート）あるいはＮｙ（ナイロン）等の樹脂は機械特性に優れ、捩れ等の応力に対して高い強度を発揮するとともに滑りも良好であることから、このような樹脂を、枢支軸３の被覆層３ａとして被成することにより枢支軸３そのものの強度、耐久性を確保しつつ軋み音や摩耗粉の発生を無くすことが可能となる。なお、被覆層３ａを構成する材料は、上記樹脂を使用することが好ましいが、同等の効果を奏する樹脂であれば適宜選択、使用することが可能で、本発明は上記の樹脂にのみ限定されることはない。
【００１８】
上記の構成においては、被覆層３ａを設けた枢支軸３を貫通孔２ａ、４に圧入しているため蓋体２を任意の開閉位置で停止させるフリーストップ機能を長期にわたって維持することが可能となる。
【００１９】
図３、図４は本発明にしたがう化粧料容器（コンパクト）の他の実施の形態を示したものである。この例は枢支軸３を容器本体１と一体に成形してその外表面にＰＯＭ樹脂からなる被覆層３ａを被成し、蓋体２の割溝２ｂに強制嵌入させて開閉可能に枢動連結した構造のものである。
【００２０】
かかる構成になるコンパクトにおいても枢支軸３の強度低下を招くことなしに軋み音や摩耗粉の発生を効果的に回避することが可能となる。
【００２１】
上掲図１〜図４に示した例では、枢支軸３の摺動面に被覆層３ａを設ける場合について示したが、この被覆層３ａは枢支軸３が接触する部位の外表面に設けることもできる。
【００２２】
その例を図５に示す。容器本体１に枢支軸３を設けた場合には、枢支軸３と摺動連結する蓋体２の嵌合部位の表面に被覆層５を設けることが可能で、このような構造にしても軋み音や摩耗粉が発生を避けることができる。
【００２３】
被覆層３ａ、５は枢支軸３や容器本体１、蓋体２の製造過程でインサート成形によって形成することができるが、予め成形しておいたものを接着剤あるいは溶着により接合してもよく、この点については限定されない。
【００２４】
容器本体１、蓋体２（枢支軸３が容器本体１あるいは蓋体２と一体に成形されている場合には枢支軸３も含む）は、従来と同様に、ＡＳやＡＢＳ樹脂にて構成される。
【００２５】
本発明における化粧料容器は、前記実施例で示したコンパクトのみならず、容器本体と蓋体とが蝶着されたジャータイプの化粧料容器であってもよく、その形態は適宜選択可能である。また、図示はしないが容器本体１への蓋体２の接合位置を蓋体２の蝶番部が容器本体１の外側面の一部を覆うような位置とすることできる。
【産業上の利用可能性】
【００２６】
蓋体の開閉に際して軋み音が発生したり摩耗粉が生じることがなく、フリーストップ機能を長期間にわたって維持できる使い勝手のよい樹脂製のコンパクトが提供できる。
【図面の簡単な説明】
【００２７】
【図１】本発明にしたがう化粧料容器の実施の形態を示した図である。
【図２】図１に示した化粧料容器の要部の断面図である。
【図３】本発明にしたがう化粧料容器の他の実施の形態を示した図である。
【図４】図３に示した化粧料容器の要部の断面図である。
【図５】参考例としての化粧料容器を示した図である。
【符号の説明】
【００２８】
１  容器本体
１ａ  収納空間
１ｂ  収納空間
１ｃ  収納空間
２  蓋体
２ａ  貫通孔
２ｂ  割溝
３  枢支軸
３ａ  被覆層
４  貫通孔
５  被覆層
【図１】
0004614680.tif 000002
【図２】
0004614680.tif 000003
【図３】
0004614680.tif 000004
【図４】
0004614680.tif 000005
【図５】
0004614680.tif 000006